(57)【要約】【課題】一方の手提用延長部を握って、袋開口部を開放させたまま持ち運ぶ際に、これが千切れるといったことがないようにしたゴミ拾集用ゴミ袋の提供。【解決手段】袋本体１の両側に手提用延長部が形成され、この両手提用延長部の内縁間を切欠するように袋開口部１５が形成されているプラスチックフイルム袋であって、両手提用延長部は、一方が幅広手提用延長部１１に形成され、他方が幅狭手提用延長部１２に形成されて、一方の幅広手提用延長部が他方の幅狭手提用延長部よりも幅広く形成されている。【選択図】      図１
2004210462.tif 000002
【特許請求の範囲】
【請求項１】
袋本体の両側に手提用延長部が形成され、この両手提用延長部の内縁間を切欠するように袋開口部が形成されているプラスチックフイルム袋であって、
前記両手提用延長部は、一方が幅広手提用延長部に形成され、他方が幅狭手提用延長部に形成されて、一方の幅広手提用延長部が他方の幅狭手提用延長部よりも幅広く形成されていることを特徴としたゴミ拾集用ゴミ袋。
【請求項２】
請求項１記載のゴミ拾集用ゴミ袋において、
袋開口部を形成するの切欠縁は、幅広手提用延長部の内縁と、幅狭手提用延長部の内縁と、前記両内縁間の中間縁とで形成され、
この中間縁と前記幅広手提用延長部の内縁とが円弧状縁で連続するように形成されているゴミ拾集用ゴミ袋。
【請求項３】
請求項１又は２記載のゴミ拾集用ゴミ袋において、
前記幅狭手提用延長部は、その上端が袋開口部に連続して開放されているゴミ拾集用ゴミ袋。
【発明の詳細な説明】
【０００１】
【発明の属する技術分野】
本発明は、プラスチックフイルム袋によるゴミ拾集用ゴミ袋に関する。
【０００２】
【従来の技術】
従来、プラスチックフイルム袋としては、袋開口部の両側に手提用延長部が形成されているものが知られている（例えば、特許文献１）。
【０００３】
【特許文献１】
特開平０７−２５１８４８号公報
【０００４】
この従来のプラスチックフイルム袋は、両方の手提用延長部の幅が同一であり、これを使用する場合、開口部からゴミ等を投入して、内部にゴミ等を収容した状態で、両方の手提用延長部を一緒に握って持ち運ぶようにするのが一般的である。
【０００５】
【発明が解決しようとする課題】
ところで、プラスチックフイルム袋の利用方法で、空缶やゴミを河原や公園等で火バシなどを用いて拾い集めるボランティア活動を行なっている場面を多く見受けるようになった。
この際、両方の手提用延長部を一緒に握って持ち運ぶと、袋開口部が閉じた状態になるため、持ち運びながらゴミ等を投入することができず、不便である。
そこで、一方の手提用延長部のみを握るようにすれば、袋開口部が開放したままになるため、持ち運びながらゴミ等を投入することができるようになり、便利である。
【０００６】
しかしながら、このように一方の手提用延長部のみを握って持ち運ぶと、その一方の手提用延長部のみに荷重がかかるため、ゴミ等の重量が重くなると、手提用延長部が千切れてしまうことがあるという問題が生じる。
【０００７】
本発明は、上記のような問題を解決するためになされたもので、一方の手提用延長部の強度を高めることにより、この一方の手提用延長部を握って持ち運べば、これが千切れるといったことがないようにしたゴミ拾集用ゴミ袋を提供することを課題としている。
【０００８】
【課題を解決するための手段】
上記の課題を解決するため、本発明のゴミ拾集用ゴミ袋（請求項１）は、
袋本体の両側に手提用延長部が形成され、この両手提用延長部の内縁間を切欠するように袋開口部が形成されているプラスチックフイルム袋であって、
前記両手提用延長部は、一方が幅広手提用延長部に形成され、他方が幅狭手提用延長部に形成されて、一方の幅広手提用延長部が他方の幅狭手提用延長部よりも幅広く形成されている構成とした。
【０００９】
前記請求項１記載のゴミ拾集用ゴミ袋において、
袋開口部を形成するの切欠縁は、幅広手提用延長部の内縁と、幅狭手提用延長部の内縁と、前記両内縁間の中間縁とで形成され、
この中間縁と前記幅広手提用延長部の内縁とが円弧状縁で連続するように形成されている態様（請求項２）がある。
【００１０】
又、前記請求項１又は２記載のゴミ拾集用ゴミ袋において、
前記幅狭手提用延長部は、その上端が袋開口部に連続して開放されている態様（請求項３）がある。
【００１１】
【発明の実施の形態】
以下、本発明の実施形態を図面に示す実施例により詳述する。
図１は第１実施例にかかるゴミ拾集用ゴミ袋の正面図、図２はこのゴミ拾集用ゴミ袋の使用状態を示す斜視図である。
【００１２】
このゴミ拾集用ゴミ袋Ａは、両側部から内側にマチ部１０，１０が折り込まれたマチ付き筒状プラスチックフイルムにより形成されたもので、袋本体１の上端一側（図面では上端左側）に幅広手提用延長部１１が形成され、上端他側（図面では上端右側）に幅狭手提用延長部１２が形成されている。
この幅広手提用延長部１１及び幅狭手提用延長部１２の上端は溶着シール線１３，１４により閉鎖されている。
そして、この両手提用延長部１１，１２の内縁間を切欠するように袋開口部１５が形成され、かつ袋本体１の底端は、溶着シール線１６により閉鎖されている。
【００１３】
前記袋開口部１５を形成する切欠縁は、幅広手提用延長部１１の弧状内縁１５ａと、幅狭手提用延長部１２の垂直内縁１５ｂと、前記両内縁１５ａ，１５ｂ間の水平中間縁１５ｃとで形成され、この水平中間縁１５ｃと前記幅広手提用延長部１１の弧状内縁１５ａとが円弧状縁１５ｄで連続するように形成されている。
この場合、前記切欠縁は、前記マチ部１０、１０にかかるように切欠されており、これにより、幅広手提用延長部１１及び幅狭手提用延長部１２は、マチ部１０、１０が開口して環状に形成され、手提用のグリップとして手で握ることができる。
【００１４】
上記のゴミ拾集用ゴミ袋Ａを使用するに際しては、図２に示すように、幅広手提用延長部１１のみを握った状態で持ち運ぶもので、このように一方の幅広手提用延長部１１のみを握ると、他方の幅狭手提用延長部１２はフリーになるため、袋開口部１５は開放したままの状態になる。
従って、ゴミ拾集用ゴミ袋Ａを持ち運びながら袋開口部１５から空缶やゴミ等を投入することができ、拾集作業を便利に行なうことができる。
【００１５】
このとき、拾集したゴミ等の重量は、幅広手提用延長部１１のみにかかることになるが、この幅広手提用延長部１１は、その幅が広く形成されて強度が向上しているため、この幅広手提用延長部１１が千切れるのを防止することができる。
特に、拾集したゴミ等の重量は、幅広手提用延長部１１の基端部分、即ち、袋開口部１５の切欠縁における水平中間縁１５ｃと幅広手提用延長部１１の弧状内縁１５ａとの間に集中することになるが、この部分が円弧状縁１５ｄに形成されているため、応力集中が生じることはなく、裂け等の破れを防止することができる。
【００１６】
なお、袋本体１の内部が、拾集したゴミ等で一杯になると、両方の手提用延長部１１，１２を結んで袋開口部１５を閉じることになり、このため、袋本体１の両側に手提用延長部１１，１２を形成しておく必要がある。
【００１７】
次に、図３は第２実施例にかかるゴミ拾集用ゴミ袋の正面図である。
このゴミ拾集用ゴミ袋Ｂは、幅狭手提用延長部１２の長さ（延長量）を、幅広手提用延長部１１の長さよりも短くしたもので、これにより、幅広手提用延長部１１を握った状態で持ち運ぶ際に、幅狭手提用延長部１２で袋開口部１５が塞がれてしまうのを防止できるようになる。
なお、その他の構成は、前記第１実施例と同様である。
【００１８】
次に、図４は第３実施例にかかるゴミ拾集用ゴミ袋の正面図である。
このゴミ拾集用ゴミ袋Ｃは、袋本体１の底端に、袋開口部１５と同形状のシート片１７が突設されている。
このように、袋本体１の底端にシート片１７を突設しておくと、両方の手提用延長部１１，１２を結んで袋開口部１５を閉じて、ゴミ置場等に置いたゴミ拾集用ゴミ袋Ｃがひっくり返っているような場合でも、このシート片１７を手懸かりとして持つことができる。
特に、重かったり、濡れたりして非常に持ちにくい場合や、内部に尖ったものが入っているような場合には、このシート片１７と両方の手提用延長部１１，１２の結び目とを両手で持つことができ、安全で楽に持ち運ぶことができる。
なお、その他の構成は、前記第１実施例と同様であるし、又、第２実施例のように、幅狭手提用延長部の長さ（延長量）を、幅広手提用延長部の長さよりも短く形成してもよい。
【００１９】
次に、図５は第４実施例にかかるゴミ拾集用ゴミ袋の正面図である。
このゴミ拾集用ゴミ袋Ｄは、幅狭手提用延長部１２の上端が溶着シールされることなく、袋開口部１５に連続した開放部１８に形成されている。
このように、幅狭手提用延長部１２の上端を開放させると、袋開口部１５の開口幅が広がり、ゴミ等の投入が容易になる。
なお、その他の構成は、前記第３実施例と同様であるし、又、第２実施例のように、幅狭手提用延長部の長さ（延長量）を、幅広手提用延長部の長さよりも短く形成してもよい。
【００２０】
なお、本発明において、幅広手提用延長部１２は、通常、袋本体１の幅の約１／４以上の幅で形成するのが好ましいが、この幅広手提用延長部１２の千切れに対する強度を十分に確保する上からは１／３以上の幅で形成するのが望ましい。
なお、袋開口部１５を確保するために、幅広手提用延長部１２の幅は、袋本体１の幅の約１／２までの幅で形成するのが好ましい。
【００２１】
【発明の効果】
以上説明したように、本発明のゴミ拾集用ゴミ袋（請求項１）にあっては、幅広手提用延長部を形成したので、この幅広手提用延長部を握って持ち運べば、袋開口部を開放させたまま持ち運ぶことを可能にしながら、この幅広手提用延長部の強度が高くなるため、これが千切れるといったことがない。
【００２２】
また、袋開口部の切欠縁における中間縁と手提用幅広延長部の内縁とを弧状に連続させると（請求項２）、荷重が集中する幅広手提用延長部の基端部分での応力集中がなくなり、裂け等の破れを防止することができる。
【００２３】
幅狭手提用延長部の上端を袋開口部に連続して開放させると（請求項３）、袋開口部の開口幅を広げることができ、ゴミ等の投入が容易になる。
【図面の簡単な説明】
【図１】第１実施例にかかるゴミ拾集用ゴミ袋の正面図である。
【図２】このゴミ拾集用ゴミ袋の使用状態を示す斜視図である。
【図３】第２実施例にかかるゴミ拾集用ゴミ袋の正面図である。
【図４】第３実施例にかかるゴミ拾集用ゴミ袋の正面図である。
【図５】第４実施例にかかるゴミ拾集用ゴミ袋の正面図である。
【符号の説明】
Ａ  ゴミ拾集用ゴミ袋
Ｂ  ゴミ拾集用ゴミ袋
Ｃ  ゴミ拾集用ゴミ袋
Ｄ  ゴミ拾集用ゴミ袋
１  袋本体
１０  マチ部
１１  幅広手提用延長部
１２  幅狭手提用延長部
１３  溶着シール線
１４  溶着シール線
１５  袋開口部
１５ａ  弧状内縁
１５ｂ  垂直内縁
１５ｃ  水平中間縁
１５ｄ  円弧状縁
１６  溶着シール線
１７  シート片
１８  開放部
【図１】
2004210462.tif 000003
【図２】
2004210462.tif 000004
【図３】
2004210462.tif 000005
【図４】
2004210462.tif 000006
【図５】
2004210462.tif 000007